(57)【要約】【課題】床材を作業性よく剥離し、かつ、放熱手段を傷めることなく再使用し、フローリングを簡単にリフォームできる床暖房装置の構造を提供する。【解決手段】床下地材８と床材９との間に放熱手段６を保持してなる床暖房装置であって、該床下地材８と床材９との間には剥離小根太１と放熱手段保持用根太４とが介装されるとともに、該剥離小根太１は床下地材８に剥離自在に仮固定され、該放熱手段保持用根太４は上記放熱手段６を保持して床下地材８に固定され、さらに上記剥離小根太１の上面には床材９が固着された床暖房装置の構造。好ましくは、上記床下地材８には剥離小根太１を仮固定するための押しネジ２が植設される。【選択図】図５
2008144981.tif 000002
【特許請求の範囲】
【請求項１】
床下地材と床材との間に放熱手段を保持してなる床暖房装置であって、該床下地材と床材との間には剥離小根太と放熱手段保持用根太とが介装されるとともに、該剥離小根太は床下地材に剥離自在に仮固定され、該放熱手段保持用根太は上記放熱手段を保持して床下地材に固定され、さらに上記剥離小根太の上面には床材が固着された床暖房装置の構造。
【請求項２】
上記床下地材には剥離小根太を仮固定するための押しネジが植設された請求項１に記載の床暖房装置の構造。
【請求項３】
上記剥離小根太の上面には床材が接着されるとともに、床材の短手端部は上記剥離小根太の上面で接合して接着される請求項１に記載の床暖房装置の構造。
【請求項４】
さらに床材の短手端部が釘着される請求項３に記載の床暖房装置の構造。
【発明の詳細な説明】
【技術分野】
【０００１】
本発明は、床暖房装置に関する。さらに詳しくは、リフォーム等の際、フローリングの貼り替えを容易に行うことのできる床暖房装置の構造に関する。
【背景技術】
【０００２】
近年、一般家庭において、フローリングされた床面を暖房する床暖房装置が広く用いられている。この床暖房装置は、通常、放熱手段と、この放熱手段の表面側に配設される均熱シートと、この均熱シートの表面側に配設される床材とから構成されている。しかしながら、フローリングが長年の使用により傷んだり、部屋の模様替えのために床材の貼り替え等を行う場合、床材のみをきれいに剥離することは困難で、床材と共に均熱シートや放熱手段を取り除かなければならず、作業性が悪く、また、省資源の面からも問題がある。
【０００３】
そこで、下記特許文献１には、放熱チューブが内設され、放熱マットに均熱シートを介して配設された床材を必要最小限の交換でもって、比較的容易に、かつ、短時間で貼り替えを行うことのできる床暖房装置が提案されている。
【特許文献１】特開２００５−２３３５０３号公報（第１〜４頁、第１図、第２図）
【発明の開示】
【発明が解決しようとする課題】
【０００４】
しかしながら、上記特許文献１に記載の床暖房装置は、その第１図、第２図に示されているように、接着剤を数層にわたって積層しなければならず、施工に手間がかかり、また、必ずしも、床材のみ、簡単に剥離できるものとはいえない。
【０００５】
本発明はこのような問題を解決して、床材を作業性よく剥離し、かつ、放熱手段を傷めることなく再使用し、フローリングを簡単にリフォームできる床暖房装置の構造を提供することを、その課題とする。
【課題を解決するための手段】
【０００６】
上記課題を解決するために、本発明においては、つぎのような技術的手段を講じている。すなわち、請求項１に記載の発明によれば、床下地材と床材との間に放熱手段を保持してなる床暖房装置であって、該床下地材と床材との間には剥離小根太と放熱手段保持用根太とが介装されるとともに、該剥離小根太は床下地材に剥離自在に仮固定され、該放熱手段保持用根太は上記放熱手段を保持して床下地材に固定され、さらに上記剥離小根太の上面には床材が固着された床暖房装置の構造が提供される。
【０００７】
上記床下地材としては、通常、合板等木質系材料が好ましく使用され、また、床材としては、突板等で化粧された化粧合板が好ましく使用される。放熱手段保持用根太を床下地材に固定する方法は、とくに限定されないが、通常、ビスによって固定することが好ましい。
【０００８】
請求項２に記載の床暖房装置の構造は、請求項１に記載の発明に加えて、上記床下地材には剥離小根太を仮固定するための押しネジが植設される。予め、剥離小根太を設ける位置に墨打ち等の方法によりマークをし、床下地材の裏面からマークした箇所にネジ部が突出するように押しネジを捻じ込むことが好ましい。
【０００９】
請求項３に記載の床暖房装置の構造は、請求項１に記載の発明に加えて、上記剥離小根太の上面には床材が接着されるとともに、上記剥離小根太の上で床材の短手端部を突き合わせて接合し、上面に接着される。接着剤としては、とくに限定されず、公知の常温硬化型の接着剤が好ましく用いられる。
【００１０】
請求項４に記載の床暖房装置の構造は、請求項３に記載の発明に加えて、接着剤によって剥離小根太の上面に接着された床材の短手端部にさらに釘を打ち込んで固定することが好ましい。
【発明の効果】
【００１１】
請求項１に記載の発明にかかる床暖房装置の構造は上記のとおりであり、床下地材と床材との間には床下地材に仮固定され、剥離自在とされた剥離小根太と、上記放熱手段を保持し、床下地材に固定される放熱手段保持用根太とが介装され、上記剥離小根太の上面には床材が固着されているため、リフォーム時に床材を剥がすとき、剥離自在とされた剥離小根太が床材と一緒に床下地材から剥がれ、作業性よく床材の除去を行うことができる。
【００１２】
古い床材と一体化した剥離小根太を剥がした後は、再び新しい剥離小根太を仮固定し、この新しい剥離小根太に新しい床材を固着する。このようにすることによって、放熱手段を傷めることなく再使用でき、床材の貼り替えを行うことが可能となる。したがって、低コストで作業性よく、フローリングのリフォームを行うことができる。
【００１３】
請求項２に記載の床暖房装置の構造は上記のとおりであり、請求項１の床暖房装置の構造の有する効果に加え、床下地材に剥離小根太を仮固定するための押しネジが植設されているため、この押しネジの床下地材上に突出したネジ部に剥離小根太を上からハンマ等で打叩することにより、簡単に仮固定できる。また、剥がすときは、上方に引き上げることにより、簡単に押しネジのネジ部から抜くことが可能であり、このようにして、剥離小根太を剥離自在に、床下地材に仮固定することができる。
【００１４】
請求項３に記載の床暖房装置の構造は上記のとおりであり、請求項１の床暖房装置の構造の有する効果に加え、上記剥離小根太の上面に接着剤を塗布することにより、床材がしっかりと接着して固着されるとともに、床材の短手端部どうしを剥離小根太の上で突き合わせて接合し、剥離小根太の上面に接着することができる。
【００１５】
請求項４に記載の床暖房装置の構造は上記のとおりであり、請求項３の床暖房装置の構造の有する効果に加え、さらに床材の短手端部に釘を打ち込み、釘着するため、端部が跳ね上がったり、反り返ること等を防いでしっかりと剥離小根太に固定することができる。
【発明を実施するための最良の形態】
【００１６】
以下、本発明の実施形態について図面を参照して詳細に説明する。図１は、本発明にかかる床暖房装置の構造を示す分解断面図である。図１において、上記床暖房装置は、床下地材８と床材９との間に放熱手段６を設けてなり、剥離小根太１と放熱手段保持用根太４とが介装されている。この放熱手段６は、放熱手段保持用根太４を固定用ビス５でビス留めして床下地材８に保持される。また、放熱手段６は温水が循環する温水パイプ６１を断熱材７で断熱した温水マットから構成されている。
【００１７】
一方、上記床下地材８には、マークした箇所の裏面から捻じ込まれ、ネジ部２１が突出した押しネジ２が植設されている。この押しネジ２のネジ部２１に剥離小根太１が剥離自在に仮固定されるとともに、上記剥離小根太１の上面には床材９を固着するための接着剤３が塗布され、施工時には床材９と剥離小根太１とは接着して一体化される。
【００１８】
図２は、床下地材８に上記した方法により植設された押しネジ２に剥離小根太１を打叩して仮固定し、放熱手段保持用根太４を固定用ビス５でビス留めした本発明の床暖房装置の構造を施工する第１段階を示す断面図である。図３は、上記本発明の床暖房装置の構造を施工する第１段階を示す平面図である。
【００１９】
本発明の床暖房装置の構造においては、上記第１段階についで、剥離小根太１の上面に接着剤３を塗布して床材９を接着する。図４は、押しネジ２に仮固定された剥離小根太１の上面に接着剤３を塗布し、剥離小根太１と床材９とを接着、一体化した状態を示す断面図である。
【００２０】
図４に示されているように、放熱手段保持用根太４によって保持された放熱手段６の内部には温水パイプ６１が配管され、温水パイプ６１に温水が循環して床材９を暖め、床暖房される。一方、床材９は、床下地材８に植設された押しネジ２によって仮固定され、適切な間隔で設けられた剥離小根太１によってしっかりと支持され、使用者は使用感よく床面を歩行し、快適に過ごすことができる。
【００２１】
一方、フローリングが傷んだり、部屋のリフォームのために床材の貼り替えを行うときは、床材９に切れ目を入れ、床材９を剥がす。このとき、床材９と剥離小根太１とは接着、一体化されているとともに、剥離小根太１は剥離自在に仮固定されているため、床材９と一緒に小根太１を剥がすことができる。図５は、上記のようにして床材９と剥離小根太１とを一緒に剥がした状態を示す説明図である。
【００２２】
図５に示されているように、床材９と一緒に剥離小根太１を剥がした後は、押しネジ２は床下地材８に植設されたままであるため、再び新しい剥離小根太１を打叩して押しネジ２に仮固定し、新しい床材９を接着剤３によって接着できる。このようにすることによって、放熱手段６を傷めることなく、再使用することが可能で、低コストでフローリングのリフォームをすることができる。
【００２３】
図６は、本発明の床暖房装置の構造を実施してリフォームされた床面Ａを示す平面図である。図６に示されているように、床材９は、上記したように点線で示す剥離小根太１の上面に接着される。このとき、床材９の短手端部は剥離小根太１の上で突き合わせて接合し、剥離小根太１の上面に接着され、さらに、釘Ｔで釘着する。このように、接着と共に釘着することにより、床材９の端部は剥離小根太１の上にしっかりと固着され、端部が跳ね上がったり、反り返ることを防ぐ。
【００２４】
本実施形態においては、剥離小根太１の床下地材８への仮固定は、押しネジ２のネジ部２１によってされているが、押しネジ２に限られず、ダボとダボ穴により仮固定してもよい。また、放熱手段保持用根太４は固定用ビス５で固定されているが、固定用ビス５に限られず、釘着、接着等の方法によってもよい。さらに、床材９と放熱手段６との間に均熱シートを配設してもよい。このように、本発明は種々設計変更可能であり、特許請求の範囲を逸脱しない限り、いずれも本発明の技術的範囲に属する。
【図面の簡単な説明】
【００２５】
【図１】本発明にかかる床暖房装置の構造を示す分解断面図である。
【図２】本発明にかかる床暖房装置の構造を施工する第１段階を示す断面図である。
【図３】本発明にかかる床暖房装置の構造を施工する第１段階を示す平面図である。
【図４】剥離小根太と床材とを接着、一体化した状態を示す断面図である。
【図５】床材と剥離小根太とを一緒に剥がした状態を示す説明図である。
【図６】本発明にかかる床暖房装置の構造を実施してリフォームされた床面を示す平面図である。
【符号の説明】
【００２６】
Ａ          本発明にかかる床暖房装置の構造を実施してリフォームされた床面
Ｔ          釘
１          剥離小根太
２          押しネジ
２１        ネジ部
３          接着剤
４          放熱手段保持用根太
５          固定用ビス
６          放熱手段
６１        温水パイプ
７          断熱材
８          床下地材
９          床材
【図１】
2008144981.tif 000003
【図２】
2008144981.tif 000004
【図３】
2008144981.tif 000005
【図４】
2008144981.tif 000006
【図５】
2008144981.tif 000007
【図６】
2008144981.tif 000008